(57)【要約】  【課題】簡単な構造で安価に製作することができるとともに、小形軽量で設置場所も余り選ばず、何処にでも容易に設置することができる構造にした巻回帯状物用ホルダーを提供する。  【解決手段】ロール状に巻回された粘着テープＴを、その巻回部５２から引き出し可能に保持するテープホルダーにおいて、粘着テープＴの巻回部５２を貫通して粘着テープＴを回転可能に支持する巻回支持部１２と、粘着テープＴの軸方向への移動を規制する軸方向移動規制部１３、１４と、巻回部５２上から引き出された粘着テープＴを任意の位置で切断するカッター１６と、ホルダー２２を固定装置に固定するための固定支持部１７と、を一体に設けてなる構成とした。【選択図】図１
0003183424.tif 000002
【実用新案登録請求の範囲】
【請求項１】
ロール状に巻回された帯状物を引き出し可能に保持する巻回帯状物用ホルダーにおいて、
前記帯状物の巻回部を貫通して該帯状物を、その巻回部から回転可能に支持する巻回支持部と、
該帯状物の巻回部側面と対向配置されて該帯状物の軸方向への移動を規制する軸方向移動規制部と、
前記帯状物の幅方向に沿って該帯状物の巻回部と略平行に設けられ、巻回部上から引き出された該帯状物を任意の位置で切断するためのカッターと、
該ホルダーを固定装置に固定するための固定支持部と、
を一体に設けてなることを特徴とする巻回帯状物用ホルダー。
【請求項２】
前記帯状物は巻回内面側に粘着面を設けた粘着テープであり、前記巻回支持部と前記カッターとの間に該カッターと略平行にして、前記巻回支持部側に残った粘着テープの切断先端部を捕捉する捕捉部を設けたことを特徴とする請求項１に記載の巻回帯状物用ホルダー。
【請求項３】
前記固定支持部は、前記固定装置に設けられた取付孔に挿入固定するようにしてなることを特徴とする請求項１または２に記載の巻回帯状物用ホルダー。
【請求項４】
前記固定支持部は、その一端部を前記固定装置に絡げて固定するようにしてなることを特徴とする請求項１または２に記載の巻回帯状物用ホルダー。
【考案の詳細な説明】
【技術分野】
【０００１】
本考案は巻回帯状物用ホルダーに関するものであり、特に、ロール状に巻回されたテープなどの帯状物を、その巻回部から引き出し可能に保持するための巻回帯状物用ホルダーに関するものである。
【背景技術】
【０００２】
事務用などで使用するロール状に巻回された巻回帯状物としては、例えばセロテープ(登録商標)として知られる粘着テープなどがある。また、従来、その粘着テープを保持しておくテープホルダーとして、種々のものが提案されている（例えば、特許文献１、特許文献２参照）。
【０００３】
図６は、特許文献１などで知られるテープホルダーの一例を示す。同図において、テープホルダー１００は、図６の(ａ)に示すように、樹脂製のホルダー本体１０１内に開口されている側面から粘着テープＴを収容し、その後、図６の(ｂ)に示すように、カバー本体１０１にカバー体１０２を取り付けてホルダー本体１０１の側面開口を閉じるようにしたものである。そして、ホルダー本体１０１とカバー体１０２とで形成されたテープ引き出し窓１０３から粘着テープＴを所定量引き出し、その引き出した粘着テープＴをカッター１０４により切断できるようにしたものである。このテープホルダー１００は、コンパクトで軽量であるという長所を有するが、反面、容易に移動して紛失し易いという問題点がある。
【０００４】
図７は、特許文献２などで知られるテープホルダーの一例を示す。同図において、テープホルダー２００は、ロール状の粘着テープＴを取り外し可能に支持する保持用リール２０１と、その保持用リール２０１を取り外し可能、かつ回転自在に支持するリール支持部２０２を有したホルダー本体２０３と、ホルダー本体２０３の上縁部に設けられたカッター２０４とを備え、テープホルダー２００に装着されたロール状の粘着テープＴを所定量引き出し、その引き出した粘着テープＴをカッター２０４で切断できるようにしたものである。このテープホルダー２００は、図６に示したテープホルダー１００よりも大きな形状で、また重みがあるので設置が安定し、紛失しにくいという長所を有するが、反面、大きな設置スペースを必要とし、大きくて邪魔になる場合も少なくない。また、製造に際して多くの材料や大きな金型設備なども必要とするので、高価になるという問題点もある。
【先行技術文献】
【特許文献】
【０００５】
【特許文献１】実開平５−９５９５６号公報。
【特許文献２】特開平８−１８８３２６号公報。
【考案の概要】
【考案が解決しようとする課題】
【０００６】
上述したように、従来のロール状に巻回されたテープなどの帯状物を引き出し可能に保持する巻回帯状物用ホルダー、すなわちテープホルダーでは、コンパクトで軽量化された構造にすると、容易に移動して紛失がし易いという問題点があった。反対に、容易に移動しないように重みを増し、かつ大きな形状にすると、設置スペースを必要として邪魔になり、また製造に際して多くの材料や大きな金型設備なども必要とするのでコストが上がり、高価になるという問題点があった。
【０００７】
そこで、本考案は上記問題点に鑑みなされたものであり、簡単な構造で安価に製作することができるとともに、小形軽量で設置場所も余り選ばず、何処にでも容易に設置することができる構造にした巻回帯状物用ホルダーを提供することを目的としている。
【課題を解決するための手段】
【０００８】
本考案は上記目的を達成するために提案されたものであり、本考案の巻回帯状物用ホルダーは、ロール状に巻回された帯状物を、その巻回部から引き出し可能に保持する巻回帯状物用ホルダーにおいて、前記帯状物の巻回部を貫通して該帯状物を回転可能に支持する巻回支持部と、該帯状物の巻回部の側面と対向配置されて該帯状物の軸方向への移動を規制する軸方向移動規制部と、前記帯状物の幅方向に沿って該帯状物の巻回部と略平行に設けられ、巻回部上から引き出された該帯状物を任意の位置で切断するためのカッターと、該ホルダーを固定装置に固定するための固定支持部と、を一体に設けてなる、構成とした。
【０００９】
この構成によれば、所望する一つの巻回帯状物用ホルダーを一体に形成してなるので、部品点数が一つで済み、部品管理が容易になる。また、構造が簡略化できるとともに、小形軽量化も可能になり、さらに簡単な製造設備で生産することができる。
【００１０】
また、前記帯状物は巻回内面側に粘着面を設けた粘着テープであり、前記巻回支持部と前記カッターとの間に該カッターと略平行にして、前記巻回支持部側に残った粘着テープの切断先端部を捕捉する捕捉部を設けてなる、構成が好ましい。
【００１１】
この構成によれば、粘着テープが所定量引き出された後、カッターで切断され、巻回支持部側に残された粘着テープの切断先端部側が粘着テープの巻回部側に戻ろうとした場合に、その切断先端部の粘着面が巻回支持部とカッターとの間に設けられている捕捉部に触れて貼り付き、巻回部まで戻るのを防止する。そして、次にテープを引き出す際に、その捕捉部にあるテープを指で摘むと粘着テープの先端を容易に引き出すことができる。
【００１２】
また、前記固定支持部は、前記固定装置に設けられた取付孔に挿入固定するようにしてなる、構成が好ましい。
【００１３】
この構成によれば、固定支持部を固定装置側の取付孔に挿入させることにより、所定の位置に巻回帯状物用ホルダーを簡単に取り付けることができる。
【００１４】
また、前記固定支持部は、その一端部を前記固定装置に絡げて固定するようにしてなる、構成が好ましい。
【００１５】
この構成によれば、固定支持部の一端部を固定装置側の任意の位置に絡げて固定することにより、任意の位置に巻回帯状物用ホルダーを簡単に取り付けることができる。
【考案の効果】
【００１６】
本考案によれば、所望する一つの巻回帯状物用ホルダーを一体に形成することができるので、構造が簡略化されて低コストが図れ、安価に提供することができる。また、小形軽量化が可能で、さらに設置場所も比較的自由に選べ、しかも設置後は簡単に移動をしてしまうこともないので、紛失を防止できる。
【図面の簡単な説明】
【００１７】
【図１】本考案の実施形態であるテープホルダーを示し、(ａ)は使用前の状態で示すその斜視図、(ｂ)は使用状態で示すその斜視図である。
【図２】同上テープホルダーを示し、(ａ)は使用前の状態で示すその正面図、(ｂ)は使用状態で示すその正面図である。
【図３】同上テープホルダーを示し、(ａ)は使用前の状態で示すその平面図、(ｂ)は使用状態で示すその平面図である。
【図４】同上テープホルダーにおけるカッターの拡大図で、(ａ)はその平面図、(ｂ)は(ａ)のＡ−Ａ断面図である。
【図５】同上テープホルダーの他の使用例を説明する図で、(ａ)は円状部材に絡げて取り付けて使用する場合の一例を説明する図、(ｂ)は角形部材に絡げてしようする場合の一例を説明する図である。
【図６】従来のテープホルダーの一例を示し、(ａ)はその分解斜視図、(ｂ)はその使用状態で示す斜視図である。
【図７】従来のテープホルダーの別の一例を、使用状態で示す斜視図である。
【考案を実施するための形態】
【００１８】
以下、本考案を実施するための形態(以下、「実施形態」という)を、添付図面に基づいて詳細に説明する。なお、以下の説明では、上下や前後、左右などの方向を示す表現は、絶対的なものではなく、本考案のテープホルダーの各部が描かれている姿勢である場合に適切であるが、その姿勢が変化した場合には姿勢の変化に応じて変更して解釈されるべきものである。
【００１９】
図１乃至図４は本考案に係る巻回帯状物用ホルダーとしてテープホルダーを示す。同図において、テープホルダー１１は、例えば中空巻芯５０の外周にロール状に巻回されて巻回部５２を形成してなる、巻回帯状物としての巻回内面に粘着剤が塗布されている粘着テープＴが着脱可能に取り付けられ、その粘着テープＴを巻回部５２から引き剥がして所望する量だけ引き出し、その引き出した粘着テープＴを所望する位置で切断できるようにしたものである。
【００２０】
前記テープホルダー１１は、容易に変形しない一本の線材を成形加工して、粘着テープＴの巻回部５２を形成している中空巻芯５０を貫通して該粘着テープＴを回転可能に支持する互いに平行に設けられた一対の巻回支持部１２、１２と、この一対の巻回支持部１２、１２の一端側に設けられた前側軸方向移動規制部１３及び他端側に設けられた後側軸方向移動規制部１４と、後側軸方向移動規制部１４の一端側から連続して形成された捕捉部１５及びカッター１６と、後側軸方向移動規制部１４の他端側から連続して形成された固定支持部１７と、を一体に有してなる。
【００２１】
なお、テープホルダー１１を形成している線材の材質は、本実施例では径約１〜５ｍｍ程度の軟鋼製の一本の針金を使用している。しかし、これ以外の線材として、材質がアルミニューム、ジュラルミン、その他のアルミニューム合金、鋼、銅、銅合金の金属、プラスチック、炭素やガラスをプラスチックに混入させた繊維強化プラスチック、プラスチックと金属の複合物などでも良く、また断面形状も円形、楕円形、三角形、四角形その他の角形などであってもよい。
【００２２】
更に詳述すると、前記一対の巻回支持部１２、１２は、図１(ｂ)、図２(ｂ)、図３(ｂ)に示すように、中空巻芯５０を貫通できるように該中空巻芯５０の内径よりも若干小さな間隔を有して互いに平行に離れ、それぞれが水平に配設されている。また、図３(ｂ)に示すように、巻回支持部１２、１２の前後方向の長さＬは、粘着テープＴの幅Ｗよりも若干大きく形成されている。
【００２３】
前記前側軸方向移動規制部１３は、一対の巻回支持部１２、１２の各一端側(前端側)から上方へ向かって略直角に折り曲げられ、下側が開放された下向きコ字状に形成されており、図１(ｂ)、図２(ｂ)、図３(ｂ)に示すように、一対の巻回支持部１２、１２に装着された粘着テープＴの前側巻回側面５１ａと対向配置されて、粘着テープＴの前側への移動を規制するようになっている。
【００２４】
前記後側軸方向移動規制部１４は、図１(ｂ)、図２(ｂ)、図３(ｂ)に示すように、一対の巻回支持部１２、１２の各他端側(後端側)からそれぞれ、左右反対方向に向かって略水平に折り曲げられた一対の後側軸方向規制半体１４ａ、１４ｂとよりなり、一対の巻回支持部１２に装着された粘着テープＴの後側巻回側面５１ｂと対向配置されて、粘着テープＴの後側への移動を規制するようになっている。
【００２５】
前記捕捉部１５は、一対の後側軸方向規制半体１４ａ、１４ｂのうちの、片側の後側軸方向規制半体１４ｂの先端から略直角に巻回支持部１２、１２と平行な状態で水平方向に折り曲げられて形成されている。図３に示すように、捕捉部１５の前後方向の長さは、巻回支持部１２の長さＬとほぼ同じ長さを有している。
【００２６】
前記カッター１６は、捕捉部１５の先端から略直角に水平方向外側へ向かって折り曲げられた連設箇所１６ａ、及び、該連設箇所１６ａの先端から略直角に捕捉部１５と平行な状態で水平方向に折り曲げられているカッター箇所１６ｂとを設けて、平面視概略Ｌ字状に形成されている。また、図３に示すように、カッター箇所１６ｂの前後方向の長さは、捕捉部１５の長さとほぼ同じ長さ、すなわち巻回支持部１２の長さＬとほぼ同じ長さを有している。なお、カッター１６におけるカッター箇所１６ｂには、図４の(ａ)にカッター箇所１６ｂを拡大して示すように、捕捉部１５と反対側の面に、鋸歯状に形成されたテープ切断用の刃１８が設けられ、また図４の(ｂ)に図４の(ａ)のＡ−Ａ断面として示すように、テープ切断用の刃１８は断面先端形状を尖った形状にして粘着テープＴを切断し易くしている。
【００２７】
前記固定支持部１７は、一対の後側軸方向規制半体１４ａ、１４ｂのうちの、片側の後側軸方向規制半体１４ａの先端から略直角に垂直方向に折り曲げられて形成されている。
【００２８】
このように形成されたテープホルダー１１は、図１(ｂ)、図２(ｂ)、図３(ｂ)に示すように、固定装置としてのスタンド２１が用意され、そのスタンド２１に設けたホルダー取付孔２２に固定支持部１７の下端部を挿入させて、スタンド２１上に立てられた状態で保持される。
【００２９】
そして、粘着テープＴは、巻回部５２の外周上側から粘着テープＴの先端を引き剥がし、この引き剥がした粘着テープＴの先端を捕捉部１５上を通ってカッター１６上に引き出すことができるような向きにして、粘着テープＴの巻回部５２を設けている中空巻芯５０に前側軸方向移動規制部１３を挿入させてその粘着テープＴを巻回支持部１２まで移動させる。
【００３０】
このようにして、粘着テープＴが巻回支持部１２まで移動されると、粘着テープＴの前側巻回側面５１ａが前側軸方向移動規制部１３に対向するとともに、後側巻回側面５１ｂが後側軸方向移動規制部１４に対向する。これにより、粘着テープＴが前側軸方向移動規制部１３と後側軸方向移動規制部１４とで前後方向の移動が規制された状態となり、巻回支持部１２上に回転可能に支持される。
【００３１】
また、巻回支持部１２に取り付けられた粘着テープＴは、巻回部５２上から粘着テープＴの先端を引き剥がし、この引き剥がした先端を捕捉部１５及びカッター１６上を通って引き出す。そして、所望する量だけ引き出したら、粘着テープＴをカッター１６の刃１８に押し付けると、そのカッター１６の刃１８で粘着テープＴを切断することができる。
【００３２】
また、粘着テープＴがカッター１６の刃１８で切断され、巻回支持部１２側に残された粘着テープＴの切断先端部５３側が粘着テープＴの巻回部５２側に戻ろうとしたときに、その粘着テープＴの巻回内面、すなわち粘着剤が塗布されている粘着面が巻回支持部１２とカッター１６との間に設けられている捕捉部１５上に触れて該捕捉部１５に貼り付き、切断先端部５３側が巻回部５２上まで戻るのを防止する。図２(ｂ)に２点鎖線で示している切断先端部５３は、捕捉部１５上に貼り付いて捕捉されている状態を示している。これにより、次回、粘着テープＴを引き出す際、捕捉部１５に貼り付いている粘着テープＴの先端部分を指で摘むことにより、容易に引き出すことができる。
【００３３】
したがって、このように構成されたテープホルダー１１は、連続してなる一つの線材を成形加工して、所望する一つのテープホルダーとして形成しているので、部品点数が一つで済み、部品管理が容易になる。また、構造が簡略化できるとともに、小形軽量化も可能になるという利点がある。
【００３４】
なお、上記実施例のテープホルダー１１では、固定装置としてのスタンド２１を用意し、そのスタンド２１に設けたホルダー取付孔２２に固定支持部１７の下端部を挿入させ、スタンド２１上に立てた状態で使用する形態を説明した。しかし、このような使用に限らず、テープホルダー１１を加工する線材に、固定支持部１７を比較的容易に屈曲することができるようにした材質の線材を使用し、その固定支持部１７の下端部を図５の(ａ)に示すように断面円形をした固定装置としての支持棒２３に絡げて取り付ける、あるいは固定支持部１７の下端部を図５の(ｂ)に示すように断面四角形をした支持棒２４などに絡げて取り付けるようにしても良いものである。このように、固定支持部１７の下端部を支持棒２３、２４などに絡げて取り付けるようにした場合では、テープホルダー１１を任意の位置に簡単に取り付けて使用することができる。
【００３５】
さらに、上記実施例では、粘着テープＴを使用する場合について説明したが、粘着テープＴは、テープの巻回面に粘着材を塗布したセロテープ（登録商標）、ガムテープ、メンディングテープなども含むものであり、粘着テープ以外にも紐あるいはトイレットペパー類の巻回帯状体も含むものである。
【００３６】
また、本考案は、上記実施形態に限定されるものではなく、上記以外にも本考案の目的を達成できる範囲での変形、改良などは本考案に含まれものである。
【符号の説明】
【００３７】
１１        テープホルダー(巻回帯状物用ホルダー)
１２        巻回支持部
１３        前側軸方向移動規制部
１４        後側軸方向移動規制部
１５        捕捉部
１６        カッター
１７        固定支持部
１８        刃
２１        スタンド(固定装置)
２２        ホルダー取付孔
２３        支持棒(固定装置)
２４        支持棒(固定装置)
５０        中空巻芯
５１ａ        前側巻回側面
５１ｂ        後側巻回側面
５２          巻回部
５３          粘着テープの切断先端部
Ｔ          粘着テープ(巻回帯状物)
Ｌ          巻回支持部の長さ
Ｗ          テープ幅
【図１】
0003183424.tif 000003
【図２】
0003183424.tif 000004
【図３】
0003183424.tif 000005
【図４】
0003183424.tif 000006
【図５】
0003183424.tif 000007
【図６】
0003183424.tif 000008
【図７】
0003183424.tif 000009